(57)【要約】【課題】シンプルな構成で部品点数も少なく、コストも安く押さえながら、垂直状条材上の所望の高さ位置に、被係止物を仮係止や確実に本係止ができ、かつ位置の変更や取り外しも容易・迅速に行えるようにする。【解決手段】垂直状条材１内に、縦長状のバネ鋼板の少なくとも下部寄り部分と上寄り部分が、垂直状条材１の前内壁８または後内壁１１への圧接用部９，１３となり、中央寄り部分が後内壁１１または前内壁８への圧接用部１２となる形状の係止用板バネ３を係合させる。また上記係止用板バネ３に被係止物取付け用の介装部材１９を連結可能とすると共に、係止用板バネ３のネジ受け部１６内に回動不能に係合させたボルト１４またはナット１５に、垂直状条材１の外側から、ボルト１４には締付け用ナット１７を、またはナット１５には締付け用ボルト１８を螺装して締付け可能とする。【選択図】        図８
2005069241.tif 000002
【特許請求の範囲】
【請求項１】
横断面ボックス状部５を有し、縦溝６を間に対向縁部７，７を有する垂直状条材１内に、被係止物２を所望高さ位置に係止可能な係止用板バネ３が係合したものであり、
上記係止用板バネ３の形状を、縦長状のバネ鋼板の少なくとも下部寄り部分と上寄り部分が、垂直状条材１の前内壁８または後内壁１１への圧接用部９，１３となり、中央寄り部分が後内壁１１または前内壁８への圧接用部１２となる形状とし、かつ該係止用バネ３に被係止物取付け用の介装部材１９を連結可能にすることにより、被係止物２を垂直条材１上で所望高さ位置に係止可能とした、垂直状条材への自在係止装置。
【請求項２】
横断面ボックス状部５を有し、縦溝６を間に対向縁部７，７を有する垂直状条材１内に、被係止物２を所望高さ位置に係止可能な係止用板バネ３が係合すると共に、外部から操作する本係止用ネジ部４を設けたものであり、
上記係止用板バネ３の形状を、縦長状のバネ鋼板の少なくとも下部寄り部分と上寄り部分が、垂直状条材１の前内壁８または後内壁１１への圧接用部９，１３となり、中央寄り部分が後内壁１１または前内壁８への圧接用部１２となると共に、下部にネジ受け部１６がある形状に形成し、
かつ本係止用ネジ部４は、上記係止用板バネ３下部のネジ受け部１６内に、ボルト１４の頭部１４ａまたはナット１５を回動不能に受け、垂直状条材１の対向縁部７，７の外側から、被係止物取付け用の介装部材１９を間にして、上記ボルト１４に締付け用ナット１７を、またはナット１５に締付け用ボルト１８を螺装し締付け可能とすることにより、被係止物２を垂直条材１上で所望高さ位置に本係止可能とした、垂直状条材への自在係止装置。
【発明の詳細な説明】
【０００１】
【発明の属する技術分野】
本発明は、垂直状部材への自在係止装置に関するものであり、特に横断面ボックス状部をもつ垂直状条材、換言すれば横断面が角付きＣ形状部をもつ縦向き条材をレールとして、その溝に沿ってスライド可能で任意の高さ位置で係止でき、かつ本格的な固定係止も可能な自在係止装置に係るものである。
【０００２】
【従来の技術】
垂直状条材例えば垂直状の建材・縦桟に、ルーバーその他の被係止物を取付けたり、建物外壁のカーテンウオール構造のマリオンに、カーテンウォールその他の被係止物を取付けたりする場合のように、垂直状条材に何らかの被係止物を任意の高さ位置へ係止・固定したい場合がある。
【０００３】
このような場合に用いる装置として従来は例えば次のようなものがあった。
イ）垂直状条材をレールとして、上下方向へ一定間隔で形成した多数の穴に、位置決めし固定しようとする部材からピンを装入させて、仮固定・本固定させる構造のもの。
【０００４】
ロ）また、例えば特公昭６０−２９００３号公報で従来例として図２・図３で示されるように、横断面ボックス状部をもつ垂直状条材の溝を間にした対向縁部を摺動可能なシューとクサビ体とで挟持し、クサビ体を押し込む方向へバネで付勢するもの。
【０００５】
ハ）さらに、上記公報に記載の発明の如く、垂直状条材の溝を間にした対向縁部に、反対方向の一対の押し付け力を加え得る少なくとも一対のシューを設け、その少なくとも一方のシューの裏面に沿って滑動可能に保持されると共に、一対のシューの間隔を増減せしめ得るカシメ体を備えたもの（例えば第４図以下の図面参照）。
【０００６】
【発明が解決しようとする課題】
ところが、上記イ）のものは、ピンを装入する穴の間隔によって位置が決まるために、任意の位置で仮固定・本固定することができず、所望の位置から少しずれる場合がある。
【０００７】
また上記ロ）は、クサビ体により本固定は強固になされるが、その後に位置を変えたり取り外したりする必要が生じた場合に、クサビ体を緩めようとしても、垂直状条材の溝を間にした対向縁部とクサビ体との間にかなりの圧縮力が残留しており、クサビ体を滑らして抜くことはきわめて難しく、垂直状条材の表面にキズが付くことがあった。
【０００８】
さらに上記ハ）は、イ）やロ）における問題点は解消しているが、構造が複雑化して部品点数も多くなり、またコスト的にも問題点があった。
【０００９】
本発明は、上記従来の垂直状条材への自在係止装置が持つような欠点・問題点を解決することを課題としたものである。即ち本発明の目的は、所望の高さ位置で正確に係止がてきると共に、位置の変更や取り外しを容易・迅速に行うことができて、垂直状条材の表面にキズを付けることもなく、かつ構造がシンプルで部品点数も少なく、コストも安くなる垂直状部材への自在係止装置を提供することにある。
【００１０】
【課題を解決するための手段】
Ａ  本発明に係る垂直状条材への自在係止装置の第１は、
横断面ボックス状部５を有し、縦溝６を間に対向縁部７，７を有する垂直状条材１内に、被係止物２を所望高さ位置に係止可能な係止用板バネ３が係合したものであり、
上記係止用板バネ３の形状を、縦長状のバネ鋼板の少なくとも下部寄り部分と上寄り部分が、垂直状条材１の前内壁８または後内壁１１への圧接用部９，１３となり、中央寄り部分が後内壁１１または前内壁８への圧接用部１２となる形状とし、かつ該係止用バネ３に被係止物取付け用の介装部材１９を連結可能にすることにより、被係止物２を垂直条材１上で所望高さ位置に係止可能としたものである。
【００１１】
Ｂ  本発明に係る垂直状条材への自在係止装置の第２は、
横断面ボックス状部５を有し、縦溝６を間に対向縁部７，７を有する垂直状条材１内に、被係止物２を所望高さ位置に係止可能な係止用板バネ３が係合すると共に、外部から操作する本係止用ネジ部４を設けたものであり、
上記係止用板バネ３の形状を、縦長状のバネ鋼板の少なくとも下部寄り部分と上寄り部分が、垂直状条材１の前内壁８または後内壁１１への圧接用部９，１３となり、中央寄り部分が後内壁１１または前内壁８への圧接用部１２となると共に、下部にネジ受け部１６がある形状に形成し、
かつ本係止用ネジ部４は、上記係止用板バネ３下部のネジ受け部１６内に、ボルト１４の頭部１４ａまたはナット１５を回動不能に受け、垂直状条材１の対向縁部７，７の外側から、被係止物取付け用の介装部材１９を間にして、上記ボルト１４に締付け用ナット１７を、またはナット１５に締付け用ボルト１８を螺装し締付け可能とすることにより、被係止物２を垂直条材１上で所望高さ位置に本係止可能としたものである。
【００１２】
【発明の実施の形態】
本発明細書において、本係止とは仮係止以上に本格的・固定的な係止をいい、垂直状とは正確な意味での垂直だけではなく、広く縦向きの意味で用いている。
【００１３】
上記構成において、垂直状条材１は、横断面ボックス状部５を有し、かつ縦溝６を間にして対向縁部７，７を有するものであれば、例えばＣ型材と言われるシンプルなもの（例えば図３参照）に限らず、横断面形状が二重構造の型材でもよいし（図示略）、さらに高層建築でカーテンウオールを設ける際のマリオンのようなものでも、２個以上の横断面ボックス状部５をもつ形状の型材であればよい（例えば図８参照）。
【００１４】
上記係止用板バネ３の形状は、上記Ａの第１のものでは、縦長状のバネ鋼板の少なくとも下部寄り部分と上寄り部分が、垂直状条材１の前内壁８または後内壁１１への圧接用部９，１３となり、中央寄り部分が後内壁１１または前内壁８への圧接用部１２となるように形成してある。
【００１５】
また上記Ｂの第２のものでも、縦長状のバネ鋼板の少なくとも下部寄り部分と上寄り部分が、垂直状条材１の前内壁８または後内壁１１への圧接用部９，１３となり、中央寄り部分が後内壁１１または前内壁８への圧接用部１２となるように形成すると共に、下部にネジ受け部１６をもつ形状に形成してある。
【００１６】
上記いずれのものも、係止用板バネ３が垂直状条材１の内壁へ当接する当接用部の数は、前内壁８へ２箇所で後内壁１１へ１箇所に限らず、後内壁１１へ２箇所で前内壁８へ１箇所であってもよいし、寸法的に可能であれば、圧接用部の数は３箇所に限らず、もっと多くしてもよい。
【００１７】
上記Ｂの第２のもので、係止用板バネ３下部のネジ受け部１６は、例えば側方から見てＬ型状部をもつ形状で、本係止用ネジ部６の片方のボルト１４の頭部１４ａまたはナット１５を回動不能に受けられるなら、Ｌ型状に限らず、例えばその前端板部を付加したＵ型状でも、またそれ以外の形状でもよい。また該ネジ受け部１６に、ボルト１４の頭部１４ａまたはナット１５を受けておくだけでもよいし、溶接その他の手段で固定してあってもよい（例えば図６参照）。
【００１８】
該本係止用ネジ部６は、ネジ受け部１６にボルト１４の頭部１４ａを係合した場合は、後ほど垂直状条材１の外側から該ボルト１４に締付け用ナット１７を螺装し（例えば図５参照）、またナット１５を係合した場合は締付け用ボルト１８を螺装するものである（例えば上記図６参照）。
【００１９】
なお介装部材１９は、上記Ａの第１のものでは、例えばフック状部材のようなもので、予め係止用板バネ３に装着しておいてもよいが（例えば図２参照）、使用に際して引っ掛けてもよい（例えば図３・図４参照）。また上記Ｂの第２のものでは、例えば被係止物２の取付け金具（ファスナー）で、ボルト１４，１８に套合可能な孔２０を形成したものである。
【００２０】
ボルト１４の頭部１４ａやナット１５の形状は、六角形のものに限らず、例えば四角形や八角形のものでもよいし（例えば上記図６参照）、ナット１５は、一般的なものの他に厚板鉄板に雌ネジ孔を形成したものでもよく（例えば上記図６参照）、また締付け用ボルト１８の頭部の形状はどのようなものでもよい。
【００２１】
なお、図において、２１は平座金、２２はバネ座金、２３は介装部材１９に被係止物２を取り付けるための取付けボルト、２４は介装部材１９を係合用の孔を示す。
【００２２】
上記構成のこの垂直状条材への自在係止装置の設置および使用状態は、次のようになる。
まず、上記Ａの第１のものは、被係止物２が比較的に軽量な物体である場合に使用するもので、係止用板バネ３に例えばフック状の介装部材１９を装着して、それに被係止物２を吊り下げて係止することになる。
【００２３】
即ち、この自在係止装置の係止用板バネ３を、垂直状条材１の上端部または下端部から横断面ボックス状部５内に差し入れて、外部からの操作で被係止物２が所望の高さになる位置へスライドさせる。その際に係止用板バネ３は、少なくとも下部寄り部分と上寄り部分が、垂直状条材１の前内壁８または後内壁１１への圧接用部９，１３となり、中央寄り部分が後内壁１１または前内壁８への圧接用部１２となっているが、その弾性に抗する力でスライドさせる。
【００２４】
後は、この係止用バネ３の各圧接用部９，１２，１３が、垂直状条材１の後内壁８や前内壁１１に当接する弾性力により、該係止用板バネ３は所望の高さ位置に係止させられるから、上記フック状の介装部材１９に被係止物２、例えば絵画の入った額を吊り下げて係止すればよい（例えば図２・図３参照）。なお、係止をより確実にしたいなら、上記係止用板バネ３に予めナットを係合させておき、第２の発明の場合のように後からボルトを螺装させて、係止状態を補強するようにしてもよい。
【００２５】
また上記Ｂの第２のものは、被係止物２が比較的重量のあるような場合に使用するもので、係止用板バネ３の弾性力で所望の位置に仮止めしておき、その状態で本係止用ネジ部４の締め付けにより本係止することになる。
【００２６】
即ち、この自在係止装置の仮係止用板バネ３を、上記第１のものと同様に、被係止物２が所望の高さになる位置へ、外部からの操作でスライドさせる。その際も該係止用板バネ３は、少なくとも下部寄り部分と上寄り部分が、垂直状条材１の前内壁８または後内壁１１への圧接用部９，１３となり、中央寄り部分が後内壁１１または前内壁８への圧接用部１２となっているが、その弾性に抗する力でスライドさせる。
【００２７】
これで、該係止用板バネ３はその弾性力により所望の高さ位置に仮係止されるが、この仮係止状態では重量のあるものを十分に係止できない。しかしこの第２のものでは、係止用板バネ３下部のバネ受け部１６内に、ボルト１４の頭部１４ａまたはナット１５を回動不能に係合してあり、そこに外部から締付け用ナット１７または締付け用ボルト１８を螺装可能としてある。
【００２８】
そのため、上記ボルト１４または締付け用ボルト１８に、取付け用の介装部材１９をその取付け用孔２０で係合させ、締付け用ナット１７または締付け用ボルト１８を螺装して、締め付ければよい。これにより、該介装部材１９を介して比較的重量のある被係止物２が本格的に係止・固定されることになる（例えば図７・図８・図９参照）。
【００２９】
【実施例】
図１ないし図９は、本発明に係る垂直状条材への自在係止装置の実施例を示すものであり、その内のまず図２ないし図４は、上記Ａ）の第１の発明に係るもので、比較的軽量の被係止物２、ここでは絵画の入った額を所望高さ位置に係止させる場合である。
【００３０】
１は垂直状条材を示し、横断面ボックス状部５を有すると共に、縦溝６を間にする対向縁部７，７を有するものであり、ここでは建物内壁に設けたアルミ合金製のレールで、横幅約１８ｍｍ、奥行き約１３ｍｍ、厚さ約１．０ｍｍのものを用いている。
【００３１】
３はここで用いる自在係止装置の係止用板バネで、ここでは横幅約１４ｍｍ、厚さが約０．６ｍｍの縦長状のバネ鋼板を用いており、上記垂直状条材１の横断面ボックス状部５内へ係合可能なもので、上方の長さは約５５ｍｍとしてある。
【００３２】
該係止用板バネ３の形状は、縦長の縦長状のバネ鋼板の下部を、ここでは側方から見てほぼＵ型状とし、その前側部を垂直状条材３の前内壁８への下側圧接用部９とするとともに、後側板部１２を上方へ延ばしてその中央部寄りを後方への湾曲させ、垂直状条材１の後内壁１１への中央圧接用部１２とし、かつ上部寄りを上記前内壁８への上側圧接用部１３としてある。
【００３３】
この係止用板バネ３を垂直状条材１内に係合させることで、上記の如く下側圧接用部９と上側圧接用部１３が垂直状条材１の前内壁８へ、また中央の湾曲状部がは後内壁１１へ各々弾性をもって当接するようにしてある。
【００３４】
該係止用板バネ３の弾性は、外部からの操作により垂直状条材１内を弾性による係止力に抗して長手方向へスライド可能な程度で、かつ、被係止物２の荷重が加わっても不用意に降下しないような係止力を有するように、その材質・厚さ・形状等を設定してある。
【００３５】
１９は介装部材としてのフック部材であり、ここでは予め上記係止用板バネ３にビス止めしてあるが（図２参照）、溶接によってもよい。また、後に被係止物２０を引っ掛ける際に、該介装部材１９を係止用板バネ３下部に引っ掛けるようにしてもよく、図４では係止用板バネ３の下部に形成した孔２４に、介装部材１９の一部を嵌め入れて引っ掛けている。
【００３６】
該介装部材１９のフック部が、垂直状条材１の縦溝６を経て前方へ突出するので、図２・図３で示すように被係止物１９が吊り下げればよい。これにより、比較的重量の少ない被係止物２、ここでは絵画の入った額が垂直状条材１をレールとして所望の高さ位置に吊るして、係止されることになる。
【００３７】
次に、図５ないし図９は、上記Ｂ）の第２の発明の実施例を示すものである。
【００３８】
１は垂直状条材を示し、ここでは高層建築でのアルミ合金製の一対のマリオンであって、被係止物２としてのカーテンウオールを、介装部材１９としての取付け金具（ファスナー）を介して取付けるものである。
【００３９】
該各垂直状条材１は、横断面ボックス状部５を有すると共に、各縦溝６を間にして対向縁部７，７を有する形状である（図が判り難くなるのを避けるため、横断面ボックス状部５は１箇所のみ示してある）。ここでの垂直状条材１は、横断面ボックス状部３の大きさが、内横幅約２３ｍｍ、奥行き約１３ｍｍ、厚さ約２．５ｍｍのものとしてある。
【００４０】
ここでの自在係止装置は、仮止め用の係止用板バネ３と本係止用ネジ部４とからなる。まず係止用板バネ３は、ここでは横幅が約２２ｍｍ、厚みが約０．７ｍｍの縦長状のバネ鋼板を用いており、上記垂直状条材１の横断面ボックス状部５内へ係合可能で、上方へ約６０ｍｍの長さを有している。
【００４１】
該係止用板バネ３は、ここでは上記実施例のものとほぼ同じ形状としてあり、縦長状のバネ鋼板の下部を側方から見てほぼＵ型状部として、その前端部を垂直状条材１の前内壁８への下側圧接用部９とし、後側板部１２を上方へ延ばしてその中央部寄りを後方への湾曲状させ、垂直状条材１の後内壁１１への圧接用部１２とすると共に、その上部寄りを上記前内壁８への上側圧接用部１３とし、かつ上記ほぼＵ型状部分をネジ受け部１６としてある。
【００４２】
この係止用板バネ３を上記垂直状条材１内に係合させると、上記の如く下側圧接用部９と上側圧接用部１３が垂直状条材１の前内壁８へ、また中央の湾曲状部がは後内壁１１へ各々弾性をもって圧接するようにしてある。
【００４３】
該係止用板バネ３の弾性力は、外部からの操作により垂直状条材１内を弾性による係止力に抗して長手方向へスライド可能な程度で、かつ、被係止物２の荷重が加わっても不用意に降下せず仮係止できる係止力を有する程度に、その材質・厚さ・形状等を設定してある。
【００４４】
他方、本係止用ネジ部４は、上記係止用板バネ３下部のＵ型状のネジ受け部１１内に、ここではボルト１４の六角頭部１４ａを回動しない状態に係合させてあり、垂直状部材１の縦溝６から前方へ突出したボルト部に、その外側から平座金２１やバネ座金２２を介して締付け用ナット１８を螺装して、締付け可能としてある。
【００４５】
１９は介装部材を示し、ここでは被係止物２としてのカーテンウオールを、上記係止用バネ３に連結する取付け金具（ファスナー）である。該介装部材１９には、取付け用孔２０を形成してあるので、上記垂直状部材１の縦溝６から前方へ突出したボルト部に該取付け用孔２０を係合させ、その外側から締付け用ナット１７を螺装すればよい。
【００４６】
これで、垂直状条材１としてのマリオン内に係合した係止用板バネ３を、その弾性に抗して外部から操作してスライドさせ、所望の高さ位置で該係止用板バネ３の弾性による係止力で仮係止させ、その位置で本係止用ネジ部４を締付ける。後は、被係止物２であるカーテンウオールを、介装部材１９としての取付け金具に取付けボルト２３で取り付ければ、所望高さ位置にカーテンウオールが本格的に係止・固定されることになる。
【００４７】
もしも予め、被係止物２であるカーテンウオールに介装部材１９としての取付け金具をボルト２３で取り付けてある場合には、その介装部材１９を間にして本係止用ネジ部４を螺装し、締付ければよいことになる。
【００４８】
なお、図９は本発明の実施例の他の例を示し、建物内壁に設けたアルミ合金製のレールの所望高さ位置に被係止物２を、本係止用ネジ部４を用いて本係止する場合である。
【００４９】
【発明の効果】
以上で明らかな如く、本発明に係る垂直状条材上への自在係止装置によれば、シンプルな構成で部品点数も少なく、コストも安く押さえながら、垂直状条材上で所望の高さ位置に、被係止物を確実に仮係止や本係止がてきると共に、位置の変更や取り外しも垂直状条材の表面にキズを付けることなく、容易・迅速に行うことができる。
【００５０】
即ち、従来のものでは、垂直状条材に形成した孔にピンを装入させて係止すると、孔の間隔によって位置が決まるために所望の高さ位置に係止ができないし、垂直状条材の横断面ボックス状部内にシューとクサビ体等で係止するものは、その後に緩めようとしてもクサビ体を抜き難く、強く力を加えると垂直状条材にキズを付けるし、さらに構造が複雑化して部品点数が多くなったり、コスト的に問題があったりした。
【００５１】
これに対して、本発明に係る垂直状条材上への自在係止装置は、垂直状条材内でスライド可能な係止用板バネにより位置決めして係止し、またはそれにより仮係止した状態で係止用ネジで締付け固定して係止する構造にしてある。
【００５２】
そのため、上記のようにシンプルな構成で部品点数が少なく、コストを安く抑えることができるし、垂直状条材上で所望の高さ位置に、比較的軽量な被係止物ならそれだけで係止することができ、また重量のあるものではそれで仮係止した位置に、強固に締付け固定して係止することができる。
【００５３】
しかも位置の変更や取り外しの必要が生じた場合には、係止用板バネだけのもはそのままスライドし、また本係止用の締付けネジ部をもつものでは、それを緩めてスライドさせることで、位置の変更や取り外しを容易・迅速に行うことができるものである。
【図面の簡単な説明】
【図１】本発明の実施例において用いた係止用板バネの斜視図である。
【図２】本発明の第１のものの実施例を示す縦断側面図である。
【図３】図２で示したものの一部省略斜視図である。
【図４】本発明の第１のもので用いる係止用板バネの他の例を示す斜視図である。
【図５】本発明の第２のものの要部の実施例を示す分解斜視図である。
【図６】本発明の第２のものの要部の他の実施例を示す分解斜視図である。
【図７】本発明の第２のものの実施例を示す縦断側面図である。
【図８】図７で示したものの斜視図である。
【図９】本発明の第２のものの他の実施例を示す一部省略斜視図である。
【符号の説明】
１−垂直状条材
２−被係止物
３−係止用板バネ
４−本係止用ネジ部
５−横断面ボックス状部
６−縦溝
７−対向縁部
８−前内壁
９−圧接用部
１０−後側板部
１１−後内壁
１２−圧接用部
１３−圧接用部
１４−ボルト
１４ａ−頭部
１５−ナット
１６−ネジ受け部
１７−締付け用ナット
１８−締付け用ボルト
１９−介装部材
２０−取付け用孔
２１−平座金
２２−バネ座金
２３−取付け用ボルト
２４−孔
【図１】
2005069241.tif 000003
【図２】
2005069241.tif 000004
【図３】
2005069241.tif 000005
【図４】
2005069241.tif 000006
【図５】
2005069241.tif 000007
【図６】
2005069241.tif 000008
【図７】
2005069241.tif 000009
【図８】
2005069241.tif 000010
【図９】
2005069241.tif 000011